(57)【要約】【課題】複数の通信網を利用する通信の課金処理を行うことを目的とする。【解決手段】通信網間発信管理装置６が第１通信網ゲートウェイ５を通過する第１通信網１から第２通信網２への発信又は第２通信網２から第１通信網１への発信を検出した信号を出力し、第１通信網課金管理装置７が通信網間発信管理装置６から出力される第１通信網電話機３から第２通信網電話機９への発信を検出した信号又は第２通信網電話機９から第１通信網電話機１への発信を検出した信号により第１通信網電話機１の第２通信網電話機２への回線使用量及び第１通信網電話機１の通信料金を検出して第１通信網課金管理装置７に記録し、第１通信網課金管理装置７が通信料金の請求単位期間ごとに第１通信網課金管理装置７に記録された第１通信網電話機１の第２通信網電話機９への回線使用量により割引率を求めた後に上記第１通信網電話機１の通信料金の割引された通信料金を求める。【選択図】図１
2012239084.tif 000002
【特許請求の範囲】
【請求項１】
第１通信網を使用する第１通信網電話機と第２通信網を使用する第２通信網電話機とを通信可能に接続する複数の通信網を利用する通信の課金処理装置であって、第１通信網には通信網間発信管理装置と第１通信網課金管理装置とを備え、第１通信網課金管理装置には単位時間通信料金データベースと個別使用量データベースと割引率データベースと通信検出部と演算処理部とを備え、上記通信網間発信管理装置が第１通信網に設けられたゲートウェイ又は基地局又はＩＴＸを通過する第１通信網から第２通信網への発信又は第２通信網から第１通信網への発信を検出した信号を出力し、上記第１通信網課金管理装置の通信検出部が上記通信網間発信管理装置から出力される第１通信網電話機から第２通信網電話機への発信を検出した信号又は第２通信網電話機から第１通信網電話機への発信を検出した信号により第１通信網電話機の第２通信網電話機への回線使用量及び第１通信網電話機の通信料金を検出して上記第１通信網課金管理装置の個別使用量データベースに記録し、上記第１通信網課金管理装置の演算処理部が通信料金の請求単位期間ごとに個別使用量データベースに記録された上記第１通信網電話機の第２通信網電話機への回線使用量により割引率データベースから割引率を求めた後に上記個別使用量データベースに記録された第１通信網電話機の通信料金の割引された通信料金を求めることを特徴とする複数の通信網を利用する通信の課金処理装置。
【請求項２】
第１通信網を使用する第１通信網電話機と第２通信網を使用する第２通信網電話機とを通信可能に接続する中継装置を備えた複数の通信網を利用する通信の課金処理装置であって、中継装置には第１通信網を使用する第１通信網中継電話機と第２通信網を使用する第２通信網中継電話機と中継制御部とを備え、第１通信網電話機が第１通信網中継電話機の電話番号を発信して、この発信元である第１通信網電話機と第１通信網中継電話機とが第１通信網で接続されると、この第１通信網中継電話機が第１通信網の接続を維持したまま発信元である第１通信網電話機の電話番号を中継制御部に転送し、中継制御部が第１通信網中継電話機を返信の動作をするように制御し、この制御により第１通信網中継電話機が通信をしようとする相手先の電話番号を発信するように第１通信網に繋がっている発信元である第１通信網電話機に返信し、その返信を受信した発信元である第１通信網電話機が通話をしようとする相手先である第２通信網電話機の電話番号を第１通信網を経由して第１通信網中継電話機に送信して、その第１通信網中継電話機が相手先として受信した第２通信網電話機の電話番号を中継制御部に転送し、中継制御部が第２通信網中継電話機を発信の動作をするように制御し、この制御により第２通信網中継電話機が自分の電話番号と相手先である第２通信網電話機の電話番号とを第２通信網に発信して、第１通信網電話機と第２通信網電話機とが通信可能に接続される一方、第１通信網又は中継装置には第１通信網課金管理装置を備え、第１通信網課金管理装置には単位時間通信料金データベースと個別使用量データベースと割引率データベースと通信検出部と演算処理部とを備え、上記第１通信網課金管理装置の通信検出部が上記中継装置から出力される第１通信網電話機から第２通信網電話機への発信を検出した信号又は第２通信網電話機から第１通信網電話機への発信を検出した信号により第１通信網電話機の第２通信網電話機への回線使用量及び第１通信網電話機の通信料金を検出して上記第１通信網課金管理装置の個別使用量データベースに記録し、上記第１通信網課金管理装置の演算処理部が通信料金の請求単位期間ごとに個別使用量データベースに記録された上記第１通信網電話機の第２通信網電話機への回線使用量により割引率データベースから割引率を求めた後に上記個別使用量データベースに記録された第１通信網電話機の通信料金の割引された通信料金を求めることを特徴とする複数の通信網を利用する通信の課金処理装置。
【発明の詳細な説明】
【技術分野】
【０００１】
本発明は、複数の通信網を利用する通信の課金処理装置に関する。
【背景技術】
【０００２】
図１７及び図１８を参照し、特許文献１で開示された課金処理について説明する。図１７において課金処理装置の構成について説明すると、課金処理装置は、１つの通信網８１での通信の課金処理を行うものであり、当該１つの通信網８１に接続された課金管理装置８２を備える。課金管理装置８２は、ＣＰＵ８３、ＲＯＭ８４、ＲＡＭ８５、通信検出部８６、演算処理部８７、単位時間通信料金データベース８８、個別使用量データベース８９、割引率データベース９０を備える。ＣＰＵ８３は、ＲＯＭ８４に格納されたコンピュータプログラムにしたがいＲＡＭ８５に記録されている情報を使用しながら動作して通信検出部８６、演算処理部８７、単位時間通信料金データベース８８、個別使用量データベース８９、割引率データベース９０を制御するものである。通信検出部８６は、通信網８１を利用する通信における着信時の着信回数や通信料金を検出して個別使用量データベース８９に記録するものである。単位時間通信料金データベース８８には、割引を行わない通常の単位時間にかかる基本通信料金が例えば３０秒で２５円というように記録されている。割引率データベース９０には、着信回数に対応する割引率が例えば着信回数「０〜１００」までは割引率「５％」、着信回数「１０１〜２００」までは割引率「１０％」、着信回数「２０１〜３００」までは割引率「１５％」などのように記録されている。第１電話機９１及び第２電話機９２は、通信網８１による通信サービスに正規に加入している携帯通信端末である。
【０００３】
図１８において、１つの通信網８１だけでの通信に対する課金処理ついて第１電話機９１を例として説明する。ステップ７０１では課金管理装置８２の通信検出部８６が第１電話機９１の着信回数と発信に対する通信料金とを検出して課金管理装置８２の個別使用量データベース８９に累積して記憶する。ステップ７０２では、課金管理装置８２の演算処理部８７が月ごとのような通信料金の請求単位期間ごとに個別使用量データベース８９に記録された先月の着信回数により割引率データベース９０から割引率を求めた後に個別使用量データベース８９に記録された今月の通信料金の割引された通信料金を求める課金演算処理を行う。
【０００４】
例えば、図１７に示す個別使用量データベース８９の第１電話機９１を特定する識別情報として第１電話機９１の電話番号の表示された記憶領域における先月の着信回数が「５０回」で今月の通信料金が「１００００円」と記録されている場合には、演算処理部８７は次のような課金演算処理を行う。まず、演算処理部８７は個別使用量データベース８９の第１電話機９１の電話番号の表示された記憶領域から先月の着信回数の「５０回」と抽出し、次に、演算処理部８７は上記抽出した着信回数「５０回」に対応する割引率「５％」を割引率データベース９０から抽出してＲＡＭ８５に記録する。また、演算処理部８７は個別使用量データベース８９の第１電話機９１の電話番号の表示された記憶領域から今月の通信料金の「１００００円」を抽出すると共にＲＡＭ８５から割引率「５％」と抽出し、さらに、演算処理部８７は当該抽出した今月の通信料金の「１００００円」に当該抽出した割引率「５％」を乗算して今月の請求するべき通信料金としての割引通信料金を演算してＲＯＭ８４の書き換え可能な部分に記録する。この演算処理部８７による課金演算処理の結果としてＲＯＭ８４の書き換え可能な部分に記録された割引通信料金を通信網の図外の請求管理機器が第１電話機９１の支払名義人に請求するようになっている。
【０００５】
しかしながら、図１７及び図１８に示した課金処理は、同じ通信事業会社が運営する１つの通信網８１での課金処理であるので、互いに経営の異なる複数の通信事業会社が運営する複数の通信網を利用する通信の課金処理に採用することができないという欠点がある。
【先行技術文献】
【特許文献】
【０００６】
【特許文献１】２００１−２４５０７１号公報
【発明の概要】
【発明が解決しようとする課題】
【０００７】
本発明は、上記背景技術に鑑みてなされたものであり、第１通信網に設けられたゲートウェイ又は基地局又はＩＴＸ又は中継装置を通過する第１通信網電話機から第２通信網電話機への発信を検出した信号又は第２通信網電話機から第１通信網電話機への発信を検出した信号により複数の通信網を利用する通信の課金処理を行うことを目的とする。
【課題を解決するための手段】
【０００８】
本発明は、第１通信網を使用する第１通信網電話機と第２通信網を使用する第２通信網電話機とを通信可能に接続する複数の通信網を利用する通信の課金処理装置であって、第１通信網には通信網間発信管理装置と第１通信網課金管理装置とを備え、第１通信網課金管理装置には単位時間通信料金データベースと個別使用量データベースと割引率データベースと通信検出部と演算処理部とを備え、上記通信網間発信管理装置が第１通信網に設けられたゲートウェイ又は基地局又はＩＴＸを通過する第１通信網から第２通信網への発信又は第２通信網から第１通信網への発信を検出した信号を出力し、上記第１通信網課金管理装置の通信検出部が上記通信網間発信管理装置から出力される第１通信網電話機から第２通信網電話機への発信を検出した信号又は第２通信網電話機から第１通信網電話機への発信を検出した信号により第１通信網電話機の第２通信網電話機への回線使用量及び第１通信網電話機の通信料金を検出して上記第１通信網課金管理装置の個別使用量データベースに記録し、上記第１通信網課金管理装置の演算処理部が通信料金の請求単位期間ごとに個別使用量データベースに記録された上記第１通信網電話機の第２通信網電話機への回線使用量により割引率データベースから割引率を求めた後に上記個別使用量データベースに記録された第１通信網電話機の通信料金の割引された通信料金を求めることを特徴とするか、又は、第１通信網を使用する第１通信網電話機と第２通信網を使用する第２通信網電話機とを通信可能に接続する中継装置を備えた複数の通信網を利用する通信の課金処理装置であって、中継装置には第１通信網を使用する第１通信網中継電話機と第２通信網を使用する第２通信網中継電話機と中継制御部とを備え、第１通信網電話機が第１通信網中継電話機の電話番号を発信して、この発信元である第１通信網電話機と第１通信網中継電話機とが第１通信網で接続されると、この第１通信網中継電話機が第１通信網の接続を維持したまま発信元である第１通信網電話機の電話番号を中継制御部に転送し、中継制御部が第１通信網中継電話機を返信の動作をするように制御し、この制御により第１通信網中継電話機が通信をしようとする相手先の電話番号を発信するように第１通信網に繋がっている発信元である第１通信網電話機に返信し、その返信を受信した発信元である第１通信網電話機が通話をしようとする相手先である第２通信網電話機の電話番号を第１通信網を経由して第１通信網中継電話機に送信して、その第１通信網中継電話機が相手先として受信した第２通信網電話機の電話番号を中継制御部に転送し、中継制御部が第２通信網中継電話機を発信の動作をするように制御し、この制御により第２通信網中継電話機が自分の電話番号と相手先である第２通信網電話機の電話番号とを第２通信網に発信して、第１通信網電話機と第２通信網電話機とが通信可能に接続される一方、第１通信網又は中継装置には第１通信網課金管理装置を備え、第１通信網課金管理装置には単位時間通信料金データベースと個別使用量データベースと割引率データベースと通信検出部と演算処理部とを備え、上記第１通信網課金管理装置の通信検出部が上記中継装置から出力される第１通信網電話機から第２通信網電話機への発信を検出した信号又は第２通信網電話機から第１通信網電話機への発信を検出した信号により第１通信網電話機の第２通信網電話機への回線使用量及び第１通信網電話機の通信料金を検出して上記第１通信網課金管理装置の個別使用量データベースに記録し、上記第１通信網課金管理装置の演算処理部が通信料金の請求単位期間ごとに個別使用量データベースに記録された上記第１通信網電話機の第２通信網電話機への回線使用量により割引率データベースから割引率を求めた後に上記個別使用量データベースに記録された第１通信網電話機の通信料金の割引された通信料金を求めることを特徴とする。
【発明の効果】
【０００９】
本発明は、通信網に設けられたゲートウェイ又は基地局又はＩＴＸ又は中継装置を利用して割引に関する通信回線使用量というデータ取りを行い、その通信回線使用量に応じた通信料金の割引を行うことができるという利点がある。
【図面の簡単な説明】
【００１０】
【図１】実施形態１に係る複数の通信網を利用する通信の課金処理装置を示す構成図。
【図２】実施形態１に係る第１通信網課金管理装置を示す構成図。
【図３】実施形態１に係る第２通信網課金管理装置を示す構成図。
【図４】実施形態１に係る第１通信網電話機の発信に対する複数の通信網を利用する通信の課金処理を示すフローチャート。
【図５】実施形態１に係る第２通信網電話機の発信に対する複数の通信網を利用する通信の課金処理を示すフローチャート。
【図６】実施形態２に係る複数の通信網を利用する通信の課金処理装置を示す構成図。
【図７】実施形態３に係る複数の通信網を利用する通信の課金処理装置を示す構成図。
【図８】実施形態３に係る第１通信網課金管理装置を示す構成図。
【図９】実施形態３に係る第３通信網課金管理装置を示す構成図。
【図１０】実施形態３に係る第１通信網電話機の発信に対する複数の通信網を利用する通信の課金処理を示すフローチャート。
【図１１】実施形態３に係る第３通信網電話機の発信に対する複数の通信網を利用する通信の課金処理を示すフローチャート。
【図１２】第４実施形態に係る複数の通信網を利用する通信の課金処理装置を示す構成図。
【図１３】第４実施形態に係る中継制御部を示す構成図。
【図１４】第４実施形態に係る第２通信網課金管理装置を示す構成図。
【図１５】実施形態４に係る第１通信網電話機の発信に対する複数の通信網を利用する通信の課金処理を示すフローチャート。
【図１６】実施形態４に係る第２通信網電話機の発信に対する複数の通信網を利用する通信の課金処理を示すフローチャート。
【図１７】従来の１つの通信網を利用する通信の課金処理装置を示す構成図。
【図１８】従来の１つの通信網を利用する通信の課金処理を示すフローチャート。
【発明を実施するための形態】
【００１１】
「実施形態１」
図１を参照し、実施形態１に係る複数の通信網を利用する通信の課金処理装置について説明する。実施形態１に係る複数の通信網を利用する通信の課金処理装置は、互いに経営の異なる複数の通信網として、ＰＨＳ網のような第１通信網１とＰＨＳ網以外の第２通信網とを例示する。第１通信網１には、第１通信網電話機３、基地局４、第１通信網ゲートウェイ５、通信網間発信管理装置６、第１通信網課金管理装置７が設けられる。第１通信網電話機３は、第１通信網１による通信サービスに正規に加入している携帯通信端末を例示し、搭載されたバッテリーからの電力で基地局４と無線通信を行うものであって、次の３つの構成が考えられる。その１つは通話機能だけを備えた構成、もう１つはデータ通信機能だけを備えた構成、さらなる１つは通話機能とデータ通信機能とを併有した構成である。通話機能は、音声により通話する機能であり、例えば、一方の通話者が「もしもし」という言葉を発するのに対し、他方の通話者が「はいはい」という言葉で応じて会話することができる機能である。データ通信機能は、文字や記号あるいは画像（静止画像、動画像、またはそれら両方の画像）を双方向に送受信する機能である。通信網間発信管理装置６は、第１通信網ゲートウェイ５を通過する第１通信網１から第２通信網２への発信を検出するか又は第２通信網２から第１通信網１への発信を検出するものである。第１通信網課金管理装置７は、通信網間発信管理装置６から出力される第１通信網電話機３から第２通信網電話機９への発信を検出した信号又は第２通信網電話機９から第１通信網電話機３への発信を検出した信号により、第１通信網電話機３から第２通信網電話機９への通信回線使用量に応じた通信料金の割引、又は、第２通信網電話機９から第１通信網電話機３への通信回線使用量に応じた通信料金の割引を行うものである。よって、第１通信網課金管理装置７が複数の通信網を通信可能に接続する第１通信網ゲートウェイ５を利用して割引に関する通信回線使用量というデータ取りを行い、その通信回線使用量に応じた通信料金の割引を行うことができる。
【００１２】
第２通信網２には、第２通信網電話機９、基地局１０、第２通信網ゲートウェイ１１、第２通信網課金管理装置１２が設けられる。第２通信網電話機９は、第２通信網２による通信サービスに正規に加入している携帯通信端末を例示し、搭載されたバッテリーからの電力で基地局１０と無線通信を行うものであって、次の３つの構成が考えられる。その１つは通話機能だけを備えた構成、もう１つはデータ通信機能だけを備えた構成、さらなる１つは通話機能とデータ通信機能とを併有した構成である。第２通信網課金管理装置１２は、通信網間発信管理装置６から第１通信網ゲートウェイ５及び第２通信網ゲートウェイ１１を経由して出力される第１通信網電話機３から第２通信網電話機９への発信を検出した信号又は第２通信網電話機９から第１通信網電話機３への発信を検出した信号により、第１通信網電話機３から第２通信網電話機９への通信回線使用量に応じた通信料金の割引、又は、第２通信網電話機９から第１通信網電話機３への通信回線使用量に応じた通信料金の割引を行うものである。よって、第２通信網課金管理装置１２が複数の通信網を通信可能に接続する第１通信網ゲートウェイ５を利用して割引に関する通信回線使用量というデータ取りを行い、その通信回線使用量に応じた通信料金の割引を行うことができる。
【００１３】
図２を参照し、実施形態１に係る第１通信網課金管理装置７の構成について説明する。実施形態１に係る第１通信網課金管理装置７は、ＣＰＵ１５、ＲＯＭ１６、ＲＡＭ１７、通信検出部１８、演算処理部１９、単位時間通信料金データベース２０、個別使用量データベース２１、割引率データベース２２を備える。ＣＰＵ１５は、ＲＯＭ１６に格納されたコンピュータプログラムにしたがいＲＡＭ１７に記録されている情報を使用しながら動作して通信検出部１８、演算処理部１９、単位時間通信料金データベース２０、個別使用量データベース２１、割引率データベース２２を制御するものである。通信検出部１８は、通信網間発信管理装置６から出力される第１通信網電話機３から第２通信網電話機９への発信を検出した信号又は第２通信網電話機９から第１通信網電話機３への発信を検出した信号により、第１通信網１及び第２通信網２などの複数の通信網を利用する通信における第１通信網電話機３の第２通信網電話機９への発信回数と第１通信網電話機３の第２通信網電話機９からの着信回数及び第１通信網電話機３の通信料金を検出して個別使用量データベース２１に記録するものである。単位時間通信料金データベース２０には、割引を行わない通常の単位時間にかかる基本通信料金が例えば３０秒で２０円というように予め記録されている。割引率データベース２２には、着信回数に対応する割引率が例えば発信回数「０〜１００」までは割引率「５％」、発信回数「１０１〜２００」までは割引率「１０％」、発信回数「２０１〜３００」までは割引率「１５％」、着信回数「０〜１００」までは割引率「１０％」、着信回数「１０１〜２００」までは割引率「２０％」、着信回数「２０１〜３００」までは割引率「３０％」などのように予め記録されている。
【００１４】
図３を参照し、実施形態１に係る第２通信網課金管理装置１２の構成について説明する。実施形態１に係る第２通信網課金管理装置１２は、ＣＰＵ２５、ＲＯＭ２６、ＲＡＭ２７、通信検出部２８、演算処理部２９、単位時間通信料金データベース３０、個別使用量データベース３１、割引率データベース３２を備える。ＣＰＵ２５は、ＲＯＭ２６に格納されたコンピュータプログラムにしたがいＲＡＭ２７に記録されている情報を使用しながら動作して通信検出部２８、演算処理部２９、単位時間通信料金データベース３０、個別使用量データベース３１、割引率データベース３２を制御するものである。通信検出部２８は、通信網間発信管理装置６から第１通信網ゲートウェイ５及び第２通信網ゲートウェイ１１を経由して出力される第１通信網電話機３から第２通信網電話機９への発信を検出した信号又は第２通信網電話機９から第１通信網電話機３への発信を検出した信号により、第１通信網１及び第２通信網２の複数の通信網を利用する通信における第２通信網電話機９の第１通信網電話機３への発信回数と第２通信網電話機９の第１通信網電話機３からの着信回数及び第２通信網電話機９の通信料金を検出して個別使用量データベース３１に累積して記録するものである。単位時間通信料金データベース３０には、割引を行わない通常の単位時間にかかる基本通信料金が例えば３０秒で２５円というように予め記録されている。割引率データベース３２には、着信回数に対応する割引率が例えば発信回数「０〜１００」までは割引率「４％」、発信回数「１０１〜２００」までは割引率「８％」、発信回数「２０１〜３００」までは割引率「１２％」、着信回数「０〜１００」までは割引率「１２％」、着信回数「１０１〜２００」までは割引率「２４％」、着信回数「２０１〜３００」までは割引率「３６％」などのように記録されている。
【００１５】
図４において、実施形態１に係る複数の通信網を利用する通信に対する課金処理ついて第１通信網電話機３の発信を例として説明する。ステップ１０１では第１通信網課金管理装置７の通信検出部１８が通信網間発信管理装置６から出力される第１通信網１から第２通信網２への発信を検出した信号又は第２通信網２から第１通信網１への発信を検出した信号により第１通信網電話機３の第２通信網電話機９への発信回数と第１通信網電話機３の第２通信網電話機９からの着信回数と第１通信網電話機３の発信に対する通信料金とを検出して第１通信網課金管理装置７の個別使用量データベース２１に累積して記憶する。ステップ１０２では、第１通信網課金管理装置７の演算処理部１９が月ごとのような通信料金の請求単位期間ごとに個別使用量データベース２１に記録された先月の第２通信網電話機９への発信回数と先月の第２通信網電話機９からの着信回数とにより割引率データベース２２から割引率を求めた後に個別使用量データベース２１に記録された今月の第１通信網電話機３の通信料金の割引された通信料金を求める課金演算処理を行う。上記第１通信網課金管理装置７での通信料金の請求単位期間とは、第１通信網１を経営する通信事業者が支払名義人への請求の事務処理を行うことを支払名義人との間で定めた期間である。
【００１６】
例えば、図２に示す第１通信網課金管理装置７の個別使用量データベース２１の第１通信網電話機３を特定する識別情報として第１通信網電話機３の電話番号の表示された記憶領域における先月の第２通信網電話機９への発信回数が「５１回」で先月の第２通信網電話機９からの着信回数が「２５０回」で今月の第１通信網電話機３の通信料金が「２５０００円」であると通信検出部１８による処理に伴って記録された場合には、第１通信網課金管理装置７の演算処理部１９は次のような課金演算処理を行う。まず、演算処理部１９は個別使用量データベース２１の第１通信網電話機３の電話番号の表示された記憶領域から先月の第２通信網電話機９への発信回数の「５１回」と先月の第２通信網電話機９からの着信回数の「２５０回」とを抽出し、次に、演算処理部１９は上記抽出した発信回数「５１回」に対応する発信割引率「５％」と上記抽出した着信回数「２５０回」に対応する着信割引率「３０％」とを割引率データベース２２から抽出してＲＡＭ１７に演算処理部１９の処理に伴って記録する。また、演算処理部１９は個別使用量データベース２１の第１通信網電話機３の電話番号の表示された記憶領域から今月の通信料金の「２５０００円」を抽出すると共にＲＡＭ１７から発信割引率「５％」と着信割引率「３０％」とを抽出し、さらに、演算処理部１９は当該抽出した今月の通信料金の「２５００００円」に当該抽出した発信割引率「５％」と着信割引率「３０％」との総和の「３５％」を乗算して今月の請求するべき通信料金としての割引通信料金を演算してＲＯＭ１６の書き換え可能な部分に記録する。この演算処理部１９による課金演算処理の結果としてＲＯＭ１６の書き換え可能な部分に記録された割引通信料金を第１通信網１の図外の請求管理機器が第１通信網電話機３の支払名義人に請求する。
【００１７】
図５において、実施形態１に係る複数の通信網を利用する通信に対する課金処理ついて第２通信網電話機９の発信を例として説明する。ステップ２０１では第１通信網課金管理装置７の通信検出部２８が通信網間発信管理装置６から出力される第１通信網１から第２通信網２への発信を検出した信号又は第２通信網２から第１通信網１への発信を検出した信号により第２通信網電話機９の第１通信網電話機３への発信回数と第２通信網電話機９の第１通信網電話機３からの着信回数と第２通信網電話機９の発信に対する通信料金とを検出して第２通信網課金管理装置１２の個別使用量データベース３１に累積して記憶する。ステップ２０２では、第２通信網課金管理装置１２の演算処理部２９が月ごとのような通信料金の請求単位期間ごとに個別使用量データベース３１に記録された先月の第１通信網電話機３への発信回数と先月の第１通信網電話機３からの着信回数とにより割引率データベース３２から割引率を求めた後に個別使用量データベース３１に記録された今月の第２通信網電話機９の通信料金の割引された通信料金を求める課金演算処理を行う。上記第２通信網課金管理装置１２での通信料金の請求単位期間とは、第２通信網２を経営する通信事業者が支払名義人への請求の事務処理を行うことを支払名義人との間で定めた期間である。
【００１８】
例えば、図３に示す第２通信網課金管理装置１２の個別使用量データベース３１の第２通信網電話機９を特定する識別情報として第２通信網電話機９の電話番号の表示された記憶領域における先月の第１通信網電話機３への発信回数が「２５０回」で先月の第１通信網電話機３からの着信回数が「５１回」で今月の第２通信網電話機９の通信料金が「４５０００円」と記録されている場合には、第１通信網課金管理装置７の演算処理部２９は次のような課金演算処理を行う。まず、演算処理部２９は個別使用量データベース３１の第２通信網電話機９の電話番号の表示された記憶領域から先月の第１通信網電話機３への発信回数の「２５０回」と先月の第１通信網電話機３からの着信回数の「５１回」とを抽出し、次に、演算処理部２９は上記抽出した発信回数「２５０回」に対応する発信割引率「１２％」と上記抽出した着信回数「５１回」に対応する着信割引率「１２％」とを割引率データベース３２から抽出してＲＡＭ２７に記録する。また、演算処理部２９は個別使用量データベース３１の第２通信網電話機９の電話番号の表示された記憶領域から今月の通信料金の「４５０００円」を抽出すると共にＲＡＭ２７から発信割引率「１２％」と着信割引率「１２％」とを抽出し、さらに、演算処理部２９は当該抽出した今月の通信料金の「４５００００円」に当該抽出した発信割引率「１２％」と着信割引率「１２％」との総和の「２４％」を乗算して今月の請求するべき通信料金としての割引通信料金を演算してＲＯＭ２６の書き換え可能な部分に記録する。この演算処理部２９による課金演算処理の結果としてＲＯＭ２６の書き換え可能な部分に記録された割引通信料金を第１通信網１の図外の請求管理機器が第２通信網電話機９の支払名義人に請求する。
【００１９】
「実施形態２」
図６を参照し、実施形態２に係る複数の通信網を利用する通信の課金処理装置について説明する。図６では図１と同じ機能を有する部分には、図１と同じ符号を付して重複する説明を省略する。実施形態２に係る複数の通信網を利用する通信の課金処理装置は、通信網間発信管理装置６が第１通信網１の基地局４を利用して割引に関する通信回線使用量というデータ取りを行い、その通信回線使用量に応じた通信料金の割引を行うことができるように基地局４に接続されたことが図１に示す実施形態１に係る複数の通信網を利用する通信の課金処理装置と相違する。なお、実施形態２に係る複数の通信網を利用する通信の課金処理装置の動作は、実施形態１に係る複数の通信網を利用する通信の課金処理装置と同じなので詳細な説明は省略する。
【００２０】
「実施形態３」
図７を参照し、実施形態３に係る複数の通信網を利用する通信の課金処理装置について説明する。図７では図１と同じ機能を有する部分には、図１と同じ符号を付して重複する説明を省略する。実施形態３に係る複数の通信網を利用する通信の課金処理装置は、通信網間発信管理装置６が第１通信網１のＩＴＸ４０を利用して割引に関する通信回線使用量というデータ取り行い、その通信回線使用量に応じた通信料金の割引を行うことができるように第１通信網１に接続されたことが図１に示す実施形態１に係る複数の通信網を利用する通信の課金処理装置と相違する。ＩＴＸ４０は、ＩＰ  Ｔｒａｎｓｉｔ  ｅＸｃｈａｎｇｅの略号であり、ＰＨＳ網である第１通信網１の基地局４の通信をＮＴＴの交換機に通さずにＩＰ網で構成されている第３通信網４１にバイパスする電話交換機である。なお、ＩＴＸ４０を用いたことにより、第２通信網２としては固定網を使用し、第２通信網電話機９としては加入電話機を例示した。また、第３通信網４１には、ＩＰ電話機としての第３通信網電話機４２、第３通信網ゲートウェイ４３、第３通信網課金管理装置４４が設けられる。なお、第２通信網課金管理装置１２は、通信網間発信管理装置６からＩＴＸ４０及び第２通信網ゲートウェイ１１を経由して出力される第１通信網電話機３から第３通信網電話機４２への発信を検出した信号又は第３通信網電話機４２から第１通信網電話機３への発信を検出した信号により、第１通信網電話機３から第２通信網電話機９への通信回線使用量に応じた通信料金の割引、又は、第２通信網電話機９から第１通信網電話機３への通信回線使用量に応じた通信料金の割引を行うようになっている。
【００２１】
図８を参照し、実施形態３に係る第１通信網課金管理装置７の構成ついて説明する。実施形態３に係る第１通信網課金管理装置７は、ＣＰＵ１５、ＲＯＭ１６、ＲＡＭ１７、通信検出部１８、演算処理部１９、単位時間通信料金データベース２０、個別使用量データベース２１、割引率データベース２２を備える点は１実施形態に係る第１通信網課金管理装置７と同じであるものの、通信検出部１８が通信網間発信管理装置６から出力される第１通信網１から第２通信網２又は第３通信網４１への発信を検出した信号或いは第２通信網２又は第３通信網４１から第１通信網１への発信を検出した信号により、第１通信網１及び第２通信網２などの複数の通信網を利用する通信における第１通信網電話機３の第２通信網電話機９への発信回数と第１通信網電話機３の第２通信網電話機９からの着信回数と第１通信網電話機３の第３通信網電話機４２への発信回数と第１通信網電話機３の第３通信網電話機４２からの着信回数及び第１通信網電話機３の通信料金を検出して個別使用量データベース２１に記録する点で第１通信網課金管理装置７と異なっている。
【００２２】
図９を参照し、実施形態３に係る第３通信網課金管理装置４４の構成ついて説明する。実施形態３に係る第３通信網課金管理装置４４は、ＣＰＵ４５、ＲＯＭ４６、ＲＡＭ４７、通信検出部４８、演算処理部４９、単位時間通信料金データベース５０、個別使用量データベース５１、割引率データベース５２を備える。ＣＰＵ４５は、ＲＯＭ４６に格納されたコンピュータプログラムにしたがいＲＡＭ４７に記録されている情報を使用しながら動作して通信検出部４８、演算処理部４９、単位時間通信料金データベース５０、個別使用量データベース５１、割引率データベース５２を制御するものである。通信検出部４８は、通信網間発信管理装置６からＩＴＸ４０及び第３通信網ゲートウェイ４３を経由して出力される第１通信網電話機３から第３通信網電話機４２への発信を検出した信号又は第３通信網電話機４２から第１通信網電話機３への発信を検出した信号により、第１通信網１及び第３通信網４１の複数の通信網を利用する通信における第３通信網電話機４２の第１通信網電話機３からの発信回数と第３通信網電話機４２の第１通信網電話機３への着信回数及び第３通信網電話機４２の通信料金を検出して個別使用量データベース５１に記録するものである。単位時間通信料金データベース５０には、割引を行わない通常の単位時間にかかる基本通信料金が例えば３０秒で２５円というように記録されている。割引率データベース５２には、着信回数に対応する割引率が例えば発信回数「０〜１００」までは割引率「４％」、発信回数「１０１〜２００」までは割引率「８％」、発信回数「２０１〜３００」までは割引率「１２％」、着信回数「０〜１００」までは割引率「１２％」、着信回数「１０１〜２００」までは割引率「２４％」、着信回数「２０１〜３００」までは割引率「３６％」などのように記録されている。
【００２３】
図１０において、実施形態３に係る複数の通信網を利用する通信に対する課金処理ついて第１通信網電話機３の発信を例として説明する。ステップ３０１では、第１通信網課金管理装置７の通信検出部１８が通信網間発信管理装置６から出力される第１通信網１から第２通信網２又は第３通信網４１への発信を検出した信号又は第２通信網２又は第３通信網４１から第１通信網１への発信を検出した信号により第１通信網電話機３の第２通信網電話機９への発信回数と第１通信網電話機３の第２通信網電話機９からの着信回数と第１通信網電話機３の第３通信網電話機４２への発信回数と第１通信網電話機３の第３通信網電話機４２からの着信回数と第１通信網電話機３の発信に対する通信料金とを検出して第１通信網課金管理装置７の個別使用量データベース２１に累積して記憶する。ステップ３０２では、第１通信網課金管理装置７の演算処理部１９が月ごとのような通信料金の請求単位期間ごとに個別使用量データベース２１に記録された先月の第２通信網電話機９への発信回数と先月の第２通信網電話機９からの着信回数と先月の第３通信網電話機４２への発信回数と先月の第３通信網電話機４２からの着信回数とにより割引率データベースから割引率を求めた後に個別使用量データベース２１に記録された今月の第１通信網電話機３の通信料金の割引された通信料金を求める課金演算処理を行う。
【００２４】
例えば、図８に示す第１通信網課金管理装置７の個別使用量データベース２１の第１通信網電話機３を特定する識別情報として第１通信網電話機３の電話番号の表示された記憶領域における先月の第２通信網電話機９への発信回数が「５１回」で先月の第２通信網電話機９からの着信回数が「２５０回」で先月の第３通信網電話機４２への発信回数が「４１回」で先月の第３通信網電話機４２からの着信回数が「１１０回」で今月の第１通信網電話機３の通信料金が「３５０００円」と記録されている場合には、第１通信網課金管理装置７の演算処理部１９は次のような課金演算処理を行う。まず、演算処理部１９は個別使用量データベース２１の第１通信網電話機３の電話番号の表示された記憶領域から先月の第２通信網電話機９への発信回数の「５１回」と先月の第２通信網電話機９からの着信回数の「２５０回」と先月の第３通信網電話機４２への発信回数の「４１回」と先月の第３通信網電話機４２からの着信回数の「１１０回」とを抽出し、次に、演算処理部１９は上記抽出した先月の第２通信網電話機９への発信回数「５１回」に対応する発信割引率「５％」と上記抽出した先月の第２通信網電話機９からの着信回数「２５０回」に対応する着信割引率「３０％」と上記抽出した先月の第３通信網電話機４２への発信回数「４１回」に対応する発信割引率「５％」と上記抽出した先月の第３通信網電話機４２からの着信回数「１１０回」に対応する発信割引率「２０％」とを割引率データベース２２から抽出してＲＡＭ１７に記録する。また、演算処理部１９は個別使用量データベース２１の第１通信網電話機３の電話番号の表示された記憶領域から今月の通信料金の「３５０００円」を抽出すると共にＲＡＭ１７から発信割引率「５％×２＝１０％」と着信割引率「３０％＋２０％＝５０％」とを抽出し、さらに、演算処理部１９は当該抽出した今月の通信料金の「３５００００円」に当該抽出した発信割引率「１０％」と着信割引率「５０％」との総和の「６０％」を乗算して今月の請求するべき通信料金としての割引通信料金を演算してＲＯＭ１６の書き換え可能な部分に記録する。この演算処理部１９による課金演算処理の結果としてＲＯＭ１６の書き換え可能な部分に記録された割引通信料金を第１通信網１の図外の請求管理機器が第１通信網電話機３の支払名義人に請求する。
【００２５】
図１１において、実施形態３に係る複数の通信網を利用する通信に対する課金処理ついて第３通信網電話機４２の発信を例として説明する。ステップ４０１では第３通信網課金管理装置４４の通信検出部４８が通信網間発信管理装置６から出力される第１通信網電話機３から第３通信網電話機４２への発信を検出した信号又は第３通信網電話機４２から第１通信網電話機３への発信を検出した信号により第３通信網電話機４２の第１通信網電話機３からの発信回数と第３通信網電話機４２の第１通信網電話機３への着信回数と第３通信網電話機４２の発信に対する通信料金とを検出して第３通信網課金管理装置４４の個別使用量データベース５１に累積して記憶する。ステップ４０２では、第３通信網課金管理装置４４の演算処理部４９が月ごとのような通信料金の請求単位期間ごとに個別使用量データベース５１に記録された先月の第１通信網電話機３への発信回数と先月の第１通信網電話機３からの着信回数とにより割引率データベース５２から割引率を求めた後に個別使用量データベース５１に記録された今月の第３通信網電話機４２の通信料金の割引された通信料金を求める課金演算処理を行う。上記第３通信網課金管理装置４４の通信料金の請求単位期間とは、第３通信網４１を経営する通信事業会社が支払名義人への請求の事務処理を行うことを支払名義人との間で定めた期間である。
【００２６】
例えば、図９に示す第３通信網課金管理装置４４の個別使用量データベース５１の第３通信網電話機４２を特定する識別情報として第３通信網電話機４２の電話番号の表示された記憶領域における先月の第１通信網電話機３への発信回数が［１１０回」で先月の第１通信網電話機３からの着信回数が「４０回」で今月の第３通信網電話機４２の通信料金が「５５０００円」と記録された場合には、第３通信網課金管理装置４４の演算処理部４９は次のような課金演算処理を行う。まず、演算処理部４９は個別使用量データベース５１の第３通信網電話機４２の電話番号の表示された記憶領域から先月の第１通信網電話機３への発信回数の「１１０回」と先月の第１通信網電話機３からの着信回数の「４０回」とを抽出し、次に、演算処理部４９は上記抽出した発信回数「１１０回」に対応する発信割引率「８％」と上記抽出した着信回数「４０回」に対応する着信割引率「１２％」とを割引率データベース５２から抽出してＲＡＭ４７に記録する。また、演算処理部４９は個別使用量データベース５１の第２通信網電話機９の電話番号の表示された記憶領域から今月の通信料金の「５５０００円」を抽出すると共にＲＡＭ４７から発信割引率「８％」と着信割引率「１２％」とを抽出し、さらに、演算処理部４９は当該抽出した今月の通信料金の「５５００００円」に当該抽出した発信割引率「８％」と着信割引率「１２％」との総和の「２０％」を乗算して今月の請求するべき通信料金としての割引通信料金を演算してＲＯＭ４６の書き換え可能な部分に記録する。この演算処理部４９による課金演算処理の結果としてＲＯＭ４６の書き換え可能な部分に記録された割引通信料金を第１通信網１の図外の請求管理機器が第３通信網電話機４２の支払名義人に請求する。
【００２７】
「実施形態４」
図１２を参照し、第４実施形態に係る複数の通信網を利用する通信の課金処理装置について説明する。第４実施形態に係る複数の通信網を利用する通信の課金処理装置は、第１通信網１を使用する第１通信網電話機３と第２通信網２を使用する第２通信電話機９とを通信可能に接続する中継装置６１を備えることが、第４実施形態に係る複数の通信網を利用する通信の課金処理装置と相違する。中継装置６１は持ち運び可能な携帯型の電話機の構成でもよいし、特定場所に設置して使用される加入電話機の構成でもよい。中継装置６１は、第１通信網中継電話機６２、第２通信網中継電話機６３、中継制御部６４を備える。第１通信網中継電話機６２及び第２通信網中継電話機６３は、市販される携帯電話機と同様の構成でも市販される携帯電話機からスピーカーとマイク及びディスプレイを除去した構成でもよい。図１２では、第１通信網中継電話機６２が第１通信網１における基地局５９と無線通信を行い、第２通信網中継電話機６３が第２通信網２における基地局６０と無線通信を行う構成を例示する。なお、第１通信網課金管理装置７は、中継制御部６４から出力される第１通信網電話機３から第２通信網電話機９への発信を検出した信号又は第２通信網電話機９から第１通信網電話機３への発信を検出した信号により、第１通信網電話機３から第２通信網電話機９への通信回線使用量に応じた通信料金の割引、又は、第２通信網電話機９から第１通信網電話機３への通信回線使用量に応じた通信料金の割引を行うようになっている。また、第２通信網課金管理装置１２は、中継制御部６４から第２通信網中継電話機６３及び基地局６０を経由して出力される第１通信網電話機３から第２通信網電話機９への発信を検出した信号又は第２通信網電話機９から第１通信網電話機３への発信を検出した信号により、第１通信網電話機３から第２通信網電話機９への通信回線使用量に応じた通信料金の割引、又は、第２通信網電話機９から第１通信網電話機３への通信回線使用量に応じた通信料金の割引を行うようになっている。
【００２８】
図１３を参照し、第４実施形態に係る中継制御部６４の構成ついて説明する。中継制御部６４は、ＣＰＵ６５、ＲＯＭ６６、ＲＡＭ６７、第１送受信制御手段６８、第２送受信制御手段６９、通信管理手段７０を備える。ＣＰＵ６５は、ＲＯＭ６６に格納されたコンピュータプログラムにしたがいＲＡＭ６７に記録されている情報を使用しながら第１送受信制御手段６８、第２送受信制御手段６９、通信管理手段７０のそれぞれを動作して第１通信網中継電話機６２及び第２通信網中継電話機６３を制御するものである。通信管理手段７０は、第１通信網１から第２通信網２への発信又は第２通信網２から第１通信網１への発信を検出した信号を出力するようになっている。
【００２９】
例えば、図１２、図１３及び図１４を参照し、第１通信網電話機３から第２通信網電話機９に電話を掛ける場合の中継処理について説明する。第１通信網電話機３が第１通信網中継電話機６２の電話番号を発信すると、第１送受信制御手段６８が第１通信網電話機３と第１通信網中継電話機６２とを第１通信網１で接続し、第１通信網電話機３が上記第１通信網１による第１通信網電話機３と第１通信網中継電話機６２との接続を維持したまま第１通信網電話機３の電話番号を中継制御部６４に送信する。この第１通信網電話機３の電話番号が中継制御部６４に到達すると、第１送受信制御手段６８が第１通信網中継電話機６２に対し返信の動作をするように制御し、第１通信網中継電話機６２が通信をしようとする相手先の電話番号（この場合、第２通信網電話機９の電話番号）を発信するように第１通信網１に繋がっている第１通信網電話機３に返信する。すると、第１通信網電話機３が通信をしようとする相手先である第２通信網電話機９の電話番号を第１通信網１を使用して第１通信網中継電話機６２に送信し、第１通信網中継電話機６２が受信した相手先の電話番号（第２通信網電話機９の電話番号）を中継制御部６４に転送する。その後、第２送受信制御手段６９が第２通信網中継電話機６３に対して発信の動作をするように制御し、第２通信網中継電話機６３が通信をしようとする相手先である第２通信網電話機９の電話番号及び第２通信網中継電話機６３の電話番号を第２通信網電話機９に発信し、第２通信網中継電話機６３と第２通信網電話機９とが第２通信網２で接続される。このように第２通信網電話機９には通信をしようとする発信元である第１通信網電話機３の電話番号が通知されることがなく、発信者のセキュリティを守ることができる。
【００３０】
また、図１２、図１３及び図１４を参照し、第２通信網電話機９から第１通信網電話機３に電話を掛ける場合の中継処理について説明する。第２通信網電話機９が第２通信網中継電話機６３の電話番号を発信すると、第２送受信制御手段６９が第２通信網電話機９と第２通信網中継電話機６３とを第２通信網２で接続し、第２通信網電話機９が上記第２通信網２による第２通信網電話機９と第２通信網中継電話機６３との接続を維持したまま第２通信網電話機９の電話番号を中継制御部６４に送信する。この第２通信網電話機９の電話番号が中継制御部６４に到達すると、第２送受信制御手段が第２通信網中継電話機６３に対し返信の動作をするように制御し、第２通信網中継電話機６３が通信をしようとする相手先の電話番号（この場合、第１通信網電話機３の電話番号）を発信するように第２通信網２に繋がっている第２通信網電話機９に返信する。すると、第２通信網電話機９が通信をしようとする相手先である第１通信網電話機３の電話番号を第２通信網２を使用して第２通信網中継電話機６３に送信し、第２通信網中継電話機６３が受信した相手先の電話番号（第１通信網電話機３の電話番号）を中継制御部６４に転送する。その後、第１送受信制御手段６８が第１通信網中継電話機６２に対して発信の動作をするように制御し、第１通信網中継電話機６２が通信をしようとする相手先である第１通信網電話機３の電話番号及び第１通信網中継電話機６２の電話番号を第１通信網電話機３に発信し、第１通信網中継電話機６２と第２通信網電話機９とが第１通信網１で接続される。このように第１通信網電話機３には通信をしようとする発信元である第２通信網電話機９の電話番号が通知されることがなく、発信者の中継セキュリティを守ることができる。
【００３１】
図１３に示す実施形態４に係る第１通信網課金管理装置７の構成は図２に示す実施形態１に係る第１通信網課金管理装置７と同じであり、図１４に示す実施形態４に係る第２通信網課金管理装置１２の構成は図３に示す実施形態１に係る第２通信網課金管理装置１２と同じであるので、同一の機能を有する部分には同一符号を付して重複する説明は省略する。なお、図１３の通信検出部１８は、中継制御部６４の通信管理手段７０から出力される第１通信網電話機３から第２通信網電話機９への発信を検出した信号又は第２通信網電話機９から第１通信網電話機３への発信を検出した信号により、第１通信網１及び第２通信網２の複数の通信網を利用する通信における第２通信網電話機９の第１通信網電話機３への発信回数と第２通信網電話機９の第１通信網電話機３からの着信回数及び第２通信網電話機９の通信料金を検出して個別使用量データベース３１に累積して記録するようになっている。また、図１４の通信検出部２８は、中継制御部６４の通信管理手段７０から基地局６０を経由して出力される第１通信網電話機３から第２通信網電話機９への発信を検出した信号又は第２通信網電話機９から第１通信網電話機３への発信を検出した信号により、第１通信網１及び第２通信網２の複数の通信網を利用する通信における第２通信網電話機９の第１通信網電話機３への発信回数と第２通信網電話機９の第１通信網電話機３からの着信回数及び第２通信網電話機９の通信料金を検出して個別使用量データベース３１に累積して記録するようになっている。
【００３２】
図１５において、実施形態４に係る複数の通信網を利用する通信に対する課金処理ついて第１通信網電話機３の発信を例として説明する。ステップ５０１では、第１通信網課金管理装置７の通信検出部１８が中継装置６１から出力される第１通信網１から第２通信網２への発信を検出した信号又は第２通信網２から第１通信網１への発信を検出した信号により第１通信網電話機３の第２通信網電話機９への発信回数と第１通信網電話機３の第２通信網電話機９からの着信回数と第１通信網電話機３の発信に対する通信料金とを検出して第１通信網課金管理装置７の個別使用量データベース２１に累積して記憶する。ステップ５０２では、第１通信網課金管理装置７の演算処理部１９が月ごとのような通信料金の請求単位期間ごとに個別使用量データベース２１に記録された先月の第２通信網電話機９への発信回数と先月の第２通信網電話機９からの着信回数とにより割引率データベース２２から割引率を求めた後に個別使用量データベース２１に記録された今月の第１通信網電話機３の通信料金の割引された通信料金を求める課金演算処理を行う。よって、第１通信網課金管理装置７が複数の通信網を通信可能に接続する中継装置６１を利用して割引に関する通信回線使用量というデータ取り行い、その通信回線使用量に応じた通信料金の割引を行うことができる。
【００３３】
図１６において、実施形態４に係る複数の通信網を利用する通信に対する課金処理ついて第２通信網電話機９の発信を例として説明する。ステップ６０１では、第２通信網課金管理装置１２の通信検出部２８が中継装置６１から出力される第１通信網１から第２通信網２への発信を検出した信号又は第２通信網２から第１通信網１への発信を検出した信号により第２通信網電話機９の第１通信網電話機３への発信回数と第２通信網電話機９の第１通信網電話機３からの着信回数と第２通信網電話機９の発信に対する通信料金とを検出して第２通信網課金管理装置１２の個別使用量データベース３１に累積して記憶する。ステップ６０２では、第２通信網課金管理装置１２の演算処理部２９が月ごとのような請求単位期間ごとに個別使用量データベース３１に記録された先月の第１通信網電話機３への発信回数と先月の第１通信網電話機３からの着信回数とにより割引率データベース３２から割引率を求めた後に個別使用量データベース３１に記録された今月の第２通信網電話機９の通信料金の割引された通信料金を求める課金演算処理を行う。よって、第２通信網課金管理装置１２が複数の通信網を通信可能に接続する中継装置６１を利用して割引に関する通信回線使用量というデータ取りを行い、その通信回線使用量に応じた通信料金の割引を行うことができる。
【符号の説明】
【００３４】
１は第１通信網、２は第２通信網、３は第１通信網電話機、４は基地局、５は第１通信ゲートウェイ、６は通信網間発信管理装置、７は第１通信網課金管理装置、８は第１送受信制御手段、９は第２通信網電話機、１０は基地局、１１は第２通信ゲートウェイ、１２は第２通信網課金管理装置、１３；１４は欠番、１５はＣＰＵ、１６はＲＯＭ、１７はＲＡＭ、１８は通信検出部、１９は演算処理部、２０は単位時間通信料金データベース、２１は個別使用量データベース、２２は割引率データベース、２３；２４は欠番、２５はＣＰＵ、２６はＲＯＭ、２７はＲＡＭ、２８は通信検出部、２９は演算処理部、３０は単位時間通信料金データベース、３１は個別使用量データベース、３２は割引率データベース、３３乃至３９は欠番、４０はＩＴＸ、４１は第３通信網、４２は第３通信網電話機、４３は第３通信網ゲートウェイ、４４は第３通信網課金管理装置、４５はＣＰＵ、４６はＲＯＭ、４７はＲＡＭ、４８は通信検出部、４９は演算処理部、５０は単位時間通信料金データベース、５１は個別使用量データベース、５２は割引率データベース、５３乃至６０は欠番、６１は中継装置、６２は第１通信網中継電話機、６３は第２通信網中継電話機、６４は中継制御部、６５はＣＰＵ、６６はＲＯＭ、６７はＲＡＭ、６８は第１送受信制御手段、６９は第２送受信制御手段、７０は通信管理手段、７１乃至８０は欠番、８１は通信網、８２は課金管理装置、８３はＣＰＵ、８４はＲＯＭ、８５はＲＡＭ、８６は通信検出部、８７は演算処理部、８８は単位時間通信料金データベース、８９は個別使用量データベース、９０は割引率データベース、９１は第１電話機、９２は第２電話機。
【図１】
2012239084.tif 000003
【図２】
2012239084.tif 000004
【図３】
2012239084.tif 000005
【図４】
2012239084.tif 000006
【図５】
2012239084.tif 000007
【図６】
2012239084.tif 000008
【図７】
2012239084.tif 000009
【図８】
2012239084.tif 000010
【図９】
2012239084.tif 000011
【図１０】
2012239084.tif 000012
【図１１】
2012239084.tif 000013
【図１２】
2012239084.tif 000014
【図１３】
2012239084.tif 000015
【図１４】
2012239084.tif 000016
【図１５】
2012239084.tif 000017
【図１６】
2012239084.tif 000018
【図１７】
2012239084.tif 000019
【図１８】
2012239084.tif 000020